(57)【要約】      （修正有）【課題】生産が容易で、開梱時にテープを容易に切断することができる帯封テープの提案。【解決手段】本発明の帯封テープは、長手方向に１軸延伸されたポリオレフィンの単一合成樹脂層からなる帯封テープであって、テープの両側端部に夫々の側端部から相対する側端部に向けた切欠き１が設けられ、夫々の切欠き１から長手方向に一定の距離をおいて、この切欠き１の中央側端部１１よりも外方から相対する切欠き１の中央側端部１１に亘ってＵ字型の切欠き２が設けられたことを特徴とするもので、開梱時Ｕ字型の切欠き２を引っ張ると、切欠き２の端部から縦に裂けて、この裂け目が夫々の側端部に設けられた切欠き１に達すると容易に帯封テープが切断される。ポリオレフィンを１軸に延伸すると引っ張り強度が高くなると共に、腰が強くなり幅方向の切欠きだけでは容易に切断することができないが、縦方向には容易に裂けるので、開梱時に容易に切断することができる。【選択図】図１
2006182384.tif 000002
【特許請求の範囲】
【請求項１】
長手方向に１軸延伸されたポリオレフィンの単一合成樹脂層からなる帯封テープであって、テープの両側端部に夫々の側端部から相対する側端部に向けた切欠きが設けられ、夫々の切欠きから長手方向に一定の距離をおいて、この切欠きの中央側端部よりも外方から相対する切欠きの中央側端部に亘ってＵ字型の切欠きが設けられたことを特徴とする帯封テープ。
【請求項２】
長手方向に１軸延伸されたポリオレフィンの単一合成樹脂層からなる帯封テープであって、テープの側端部に中央に向けて切欠きが設けられ、この切欠きから長手方向に一定の距離をおいてこの切欠きと幅方向で重複する位置まで反対側の側端部から切欠きが設けられたことを特徴とする帯封テープ。
【発明の詳細な説明】
【技術分野】
【０００１】
本発明は、カタログ、送り状、書籍、ハガキ、カード、小物などの物品を束ね、集積包装などに主として用いられる幅広フィルム状の帯封テープに関し、特に開梱時の帯封テープの切断が容易な帯封テープに関する。
【背景技術】
【０００２】
【特許文献１】特開平７−４１０３６号公報  従来、帯封テープとしてポリエチレンテレフタレート（ＰＥＴ）を基体としてその表裏面にポリエチレン（ＰＥ）を積層したものが知られている。この合成樹脂の複層からなる帯封テープは被封物に巻回されたあとテープの端部が重ねられこの重なった部分を熱溶着して結束していた。又、特開平７−４１０３６号公報には２軸延伸ポリエステルフィルムの表裏両面に２軸延伸ポリプロピレンを積層し、端縁線に沿って微細な傷痕が密集して設けられた自動帯掛け機用巻回テープが提案されている。
【発明の開示】
【発明が解決しようとする課題】
【０００３】
しかしながら上記の如き特開平７−４１０３６号公報に提案されている自動帯掛け機用巻回テープにおいては２軸の延伸倍率を２倍前後とすることによりテープを任意の位置で手で破ることができるものの、３層構造のため生産工程が煩瑣であり、コストが高くなるという問題があった。又、テープの腰が弱く、梱包機内でのテープの直進性があまり良くないという問題があった。
【０００４】
そこで本発明者は従来の欠点に鑑み鋭意研究の結果、生産が容易で、開梱時にテープを容易に切断することができる帯封テープを提案するものである。
【課題を解決するための手段】
【０００５】
本発明請求項１記載の帯封テープは、長手方向に１軸延伸されたポリオレフィンの単一合成樹脂層からなる帯封テープであって、テープの両側端部に夫々の側端部から相対する側端部に向けた切欠きが設けられ、夫々の切欠きから長手方向に一定の距離をおいて、この切欠きの中央側端部よりも外方から相対する切欠きの中央側端部に亘ってＵ字型の切欠きが設けられたことを特徴とするもので、開梱時Ｕ字型の切欠きを引っ張ると、切欠きの端部から縦に裂けて、この裂け目が夫々の側端部に設けられた切欠きに達すると容易に帯封テープが切断される。
【０００６】
本発明請求項２記載の帯封テープは、長手方向に１軸延伸されたポリオレフィンの単一合成樹脂層からなる帯封テープであって、テープの側端部に中央に向けて切欠きが設けられ、この切欠きから長手方向に一定の距離をおいてこの切欠きと幅方向で重複する位置まで反対側の側端部から切欠きが設けられたことを特徴とするもので、開梱時一方の切欠きを引っ張ると切欠きの中央側端部から帯封テープが縦に裂けて、この裂け目が他の切欠きに達すると容易に帯封テープが切断される。
【発明の効果】
【０００７】
上述の如く、本発明請求項１記載の帯封テープは、長手方向に１軸延伸されたポリオレフィンの単一合成樹脂層からなる帯封テープであって、テープの両側端部に夫々の側端部から相対する側端部に向けた切欠きが設けられ、夫々の切欠きから長手方向に一定の距離をおいて、この切欠きの中央側端部よりも外方から相対する切欠きの中央側端部に亘ってＵ字型の切欠きが設けられたことを特徴とするもので、開梱時Ｕ字型の切欠きを引っ張ると、切欠きの端部から縦に裂けて、この裂け目が夫々の側端部に設けられた切欠きに達すると容易に帯封テープが切断される。ポリオレフィンを１軸に延伸すると引っ張り強度が高くなると共に、腰が強くなるが、幅方向に切欠きを入れただけでは容易に切断することができないが、縦方向には容易に裂けるので、前記の構成とすることにより容易に切断することができる。
【０００８】
又、本発明請求項２記載の帯封テープは、長手方向に１軸延伸されたポリオレフィンの単一合成樹脂層からなる帯封テープであって、テープの側端部に中央に向けて切欠きが設けられ、この切欠きから長手方向に一定の距離をおいてこの切欠きと幅方向で重複する位置まで反対側の側端部から切欠きが設けられたことを特徴とするもので、開梱時一方の切欠きを引っ張ると切欠きの中央側端部から帯封テープが縦に裂けて、この裂け目が他の切欠きに達すると容易に帯封テープが切断される。
【発明を実施するための最良の形態】
【０００９】
以下、図面を参照しながら本発明に付いて説明する。
図１は本発明帯封テープの第１の実施形態を示す平面図である。１は側端部に設けられた切欠きであり、帯封テープの側端部から相対する側端部に向けて設けられている。相対する側端部にも同様に切欠き１が設けられ、切欠き１が設けられた部分では帯封テープの有効幅は約半分となされている。この側端部の切欠き１が設けられた位置から長手方向に一定の距離をおいて、Ｕ字型の切欠き２が設けられている。このＵ字型の切欠き２の幅は側端部の切欠き１の位置での帯封テープの側端部に設けられた切欠き１の内側端部１１より外方に亘っている。
【００１０】
本発明に於ける帯封テープは長手方向に１軸延伸されたポリオレフィンの単一合成樹脂層からなっており、１軸に延伸されたポリオレフィンの特徴である、長手方向の引っ張り強度が高く容易に切断することができないが、合成樹脂結晶の配向方向に沿って裂けやすいと言う特徴を有している。本発明帯封テープは３〜８倍、好ましくは５〜７倍に１軸延伸されている。又、帯封テープの材質としては、ポリエチレンやポリプロピレンが用いられるが、ブロックコポリマーＰＰが５０％以上とメタロセンランダムコポリマーＰＰが１０％以上配合されたものであれば適度な腰強さが得られ、梱包機との適性が良く好適である。
【００１１】
図２は本発明帯封テープの実施形態の第２の例を示す平面図であり、帯封テープの側端から稍々中心を超えて反対方向に向けて半円形の切欠き３が設けられ、この半円形の切欠き３が設けられた側と反対側の側端には前記切欠き３と相対する位置に反対方向を向いて切欠き３が設けられている。
【００１２】
本発明に於ける帯封テープは、カタログ、送り状、書籍、ハガキ、カード、小物などの物品に巻回され、これらの物品を束ねて封しているが、この封を解くときに前記したＵ字型の切欠きや半円形の切欠きを引っ張ると長手方向に一定の距離をおいて設けられた切欠きまでテープが裂け容易に帯封テープが切断される。
【００１３】
本発明帯封テープの表面は平滑面でもよいが、表裏面にエンボスを付ければ帯掛け機のアーチ内での摩擦抵抗が低くなり、更に好ましい。又、表裏面にエンボスを付けることにより、巻き取り後の収縮が緩和され、巻き取り後の凸凹癖が減少する。
【００１４】
帯封テープに設けられる切欠きは帯封機での結束の直前か帯封機で物品の結束後に設けるのが好ましい、テープの側端に最初から切欠きを設けておくと、帯封機のアーチ内での帯封テープの走行不良の原因となり易いからである。
【図面の簡単な説明】
【００１５】
【図１】本発明帯封テープの第１の実施形態を示す平面図である。
【図２】本発明帯封テープの実施形態の第２の例を示す平面図である。
【符号の説明】
【００１６】
１    側端部に設けられた切欠き
１１  側端部に設けられた切欠きの内側端部
２    Ｕ字型の切欠き
３    半円形の切欠き
【図１】
2006182384.tif 000003
【図２】
2006182384.tif 000004